(57)【特許請求の範囲】
【請求項１】
建物の基礎を施工する基礎施工方法において、
基礎型枠にコンクリートを打設し、
この打設したコンクリート天端から所定の高さになるように基礎天端高さを設定し、
この基礎天端高さのレベル調整を行う天端釘を、前記打設したコンクリート天端に埋め込み、
次いで、前記コンクリート天端に複数のせき止め用板を、各せき止め用板の間に少なくとも１以上の天端釘が位置させた状態で、所定間隔をおいて設置し、
せき止め用板で区画された隣接する２箇所のせき止め区画に、セルフレベリング材を、前記コンクリート天端から前記基礎天端高さに相当する天端釘の上端まで順次打設した後、
セルフレベリング材が硬化する前に、セルフレベリング材を打設した隣接する２箇所のせき止め区画において、一方のせき止め区画と他方のせき止め区画との間にあるせき止め用板を取り外すとともに、
このせき止め用板を取り外したつなぎ部分をせき止め区画に打設されたセルフレベリング材によって平らに均すようにし、
その後、前記せき止め区画にほぼ対応した長さをもち弾性変形可能な断熱性材料で形成された基礎天端養生カバーを、前記基礎型枠の上端部で前記セルフレベリング材を打設したせき止め区画に対応する部位を順次覆うように取り付けた後、これらの作業を繰り返すことによってコンクリート天端の全周にわたってセルフレベリング材を打設することを特徴とする基礎天端養生カバーを用いた基礎天端の施工方法。
【請求項２】
請求項１記載の基礎天端養生カバーを用いた基礎天端の施工方法において、
前記天端釘は、前記コンクリートに埋め込まれる釘部と、該釘部の上端部に螺合された高さ調整部材とを備え、
前記高さ調整部材を回転させることによって、天端釘の上端の高さを調整することにより、前記基礎天端高さを任意の設定可能に構成されていることを特徴とする基礎天端養生カバーを用いた基礎天端の施工方法。
【発明の詳細な説明】
【０００１】
【発明の属する技術分野】
本発明は、建物の基礎の施工時において打設したコンクリートの天端にセルフレベリング材を打設することにより平坦な基礎天端を形成する際に用いて好適な基礎天端養生カバーを用いた基礎天端の施工方法に関する。
【０００２】
【従来の技術】
建物の鉄筋コンクリート製基礎を施工する場合、基礎型枠内にコンクリートを流し込んだ後、所定の基礎天端レベルまで流動性の高いセルフレベリング材を打設することにより、平坦な基礎天端を形成する工法が広く行われている。
【０００３】
たとえば特開平９−６００００号公報には、基礎型枠内にコンクリートを流し込んだ後、基礎型枠の上端部分で基礎天端のレベル出しを行い、該コンクリート天端上に平坦な基礎天端を形成する基礎施工方法が開示されている。
すなわち、この技術では、基礎型枠にコンクリートを打設し、その後、基礎天端のレベル出し治具を用いて基礎天端のレベル出しを行い、その高さまでセルフレベリング材を打設することにより、平坦な基礎天端を形成している。
【０００４】
【発明が解決しようとする課題】
ところで、上述したような基礎天端の施工時において、たとえば夏場などにおいては短時間で乾燥し、基礎天端に収縮乾燥クラック等のひび割れが生じてしまう虞れがあり、これを防止するために、大型のシートを基礎型枠の全体に被せるようにしている。
【０００５】
しかし、夏場はこの大型のシートを、セルフレベリング材を流す都度に、素早く被せなければならず、煩雑な作業となっている。しかも、このような大型のシートを基礎型枠に被せるには多くの人手を要するという問題もあった。
【０００６】
本発明はこのような事情に鑑みてなされたものであり、コンクリート天端にセルフレベリング材を打設した際に、そのセルフレベリング材を簡単に養生することができる基礎天端養生カバーを用いた基礎天端の施工方法を得ることを目的としている。
【０００７】
【課題を解決するための手段】
このような目的に応えるために本発明（請求項１記載の発明）に係る基礎天端養生カバーを用いた基礎天端の施工方法は、建物の基礎を施工する基礎施工方法において、基礎型枠にコンクリートを打設し、この打設したコンクリート天端から所定の高さになるように基礎天端高さを設定し、この基礎天端高さのレベル調整を行う天端釘を、前記打設したコンクリート天端に埋め込み、次いで、前記コンクリート天端に複数のせき止め用板を、各せき止め用板の間に少なくとも１以上の天端釘が位置させた状態で、所定間隔をおいて設置し、せき止め用板で区画された隣接する２箇所のせき止め区画に、セルフレベリング材を、前記コンクリート天端から前記基礎天端高さに相当する天端釘の上端まで順次打設した後、セルフレベリング材が硬化する前に、セルフレベリング材を打設した隣接する２箇所のせき止め区画において、一方のせき止め区画と他方のせき止め区画との間にあるせき止め用板を取り外すとともに、このせき止め用板を取り外したつなぎ部分をせき止め区画に打設されたセルフレベリング材によって平らに均すようにし、
その後、前記せき止め区画にほぼ対応した長さをもち弾性変形可能な断熱性材料で形成された基礎天端養生カバーを、前記基礎型枠の上端部で前記セルフレベリング材を打設したせき止め区画に対応する部位を順次覆うように取り付けた後、これらの作業を繰り返すことによってコンクリート天端の全周にわたってセルフレベリング材を打設することを特徴とする。
【０００８】
このような構成によれば、せき止め区画にセルフレベリング材を順次打設し、さらにせき止め区画を構成するせき止め用板を順次取り外し、その取り外したつなぎ部分をセルフレベリング材によって平らに均した後に、基礎天端養生カバーを、その部位に対応する基礎型枠の上端部に被せ、両端の掛け止め部により簡単に掛け止めして取り付けることが可能であり、取付作業がきわめて簡単に行えるばかりでなく、基礎天端の養生を確実に行わせることができ、基礎天端の施工がきわめて簡単に行える。特に、養生カバーは、掛け止め部を外側に拡げるように弾性変形させるだけで基礎型枠の上端部に取り付けることができるものであり、しかもそれ自体が自己保持性をもつことから、多少の風等では外れない取付け状態を維持することができる。
【０００９】
【００１０】
また、養生カバーは、長さが短くてよいから、一人の作業者でも簡単に取り付けることが可能で、作業効率の面からも優れ、基礎天端の施工が容易に行える。なお、このような養生カバーは、予め必要な長さで形成しても、あるいは長尺に形成したものをカッタ等で適宜の長さに切断して用いてもよい。また、このような養生カバーでは、養生が完了した部分ではそれを取り外して、養生が必要な箇所に取り付けるといった有効利用が可能である。
【００１１】
【００１２】
【００１３】
【００１４】
さらに、上述した構成によれば、複数のせき止め区画に順次打設したセルフレベリング材において、各せき止め区画を構成するせき止め用板を取り外したつなぎ部分を平坦に均すことが可能であり、基礎天端として施工作業が簡単であるばかりでなく、所要の機能を発揮させることができる。
【００１５】
また、上述した構成によれば、各せき止め区画においてのレベル出しを、各せき止め区画に埋め込んでいる少なくとも１以上の天端釘により確実に行うことが可能で、基礎天端の精度を容易にしかも確実にすることができる。
【００１６】
本発明（請求項２記載の発明）に係る基礎天端養生カバーを用いた基礎天端の施工方法は、請求項１において、前記天端釘は、前記コンクリートに埋め込まれる釘部と、該釘部の上端部に螺合された高さ調整部材とを備え、前記高さ調整部材を回転させることによって、天端釘の上端の高さを調整することにより、前記基礎天端高さを任意の設定可能に構成されていることを特徴とする。
このような構成によれば、基礎天端のレベル出しをきわめて簡単にしかも確実に行え、基礎天端の精度を確保することができる。
【００１７】
【００１８】
【発明の実施の形態】
図１ないし図３は本発明に係る基礎天端養生カバーを用いた基礎天端の施工方法の実施の形態を示し、図４ないし図１１は基礎天端を含めたコンクリート製基礎の施工方法を説明するための作業工程図である。
【００１９】
これらの図において、符号１は構築すべきコンクリート製基礎２の周囲を囲うように組み立てられて立設される鋼製の基礎型枠で、２枚の型枠１ａ，１ａが所定間隔をおいて相対向して併設されることによって構成されている。ここで、この実施の形態では、基礎２がフーチン２ａと立ち上がり２ｂとからなり、フーチン２ａを上記の型枠１ａ，１ａと別に設けた型枠１ｂ，１ｂによって形成する場合を示す。
【００２０】
３はこの基礎２を形成するために前記基礎型枠１，１の間に打設されるコンクリート、４はこの打設されたコンクリート３の天端、５はこのコンクリート天端４上に所定の高さ位置まで打設されるセルフレベリング材、６はこのセルフレベリング材５によって形成される平坦な基礎天端である。
【００２１】
８は上記の基礎天端６の養生を行うように基礎型枠１の上端部に掛け止めして取付られる基礎天端の養生カバーであり、基礎型枠１（型枠１ａ，１ａ）の上端部間に掛け渡される部分と、その両端から湾曲して設けられ、それぞれの型枠１ａ，１ａの上端部分のつば部（係合部）９に着脱可能に掛け止めされる掛け止め部８ａ，８ａを有するようにして、たとえば合成樹脂等の弾性を有する材料であって、そのなかでも断熱性を有する材料によって一体に形成されている。
【００２２】
このような養生カバー８の材質としては、養生材として機能し得るような材料であればよく、適宜の合成樹脂、ゴム材、合成ゴム材、あるいは発泡剤等のような適宜の材料でよい。要は、養生カバー８は、型枠１ａ，１ａ間に掛け渡された状態で、両端が型枠１ａ，１ａの上端部に引っ掛け係合される形状をもち、その形状を維持するような自己保持機能をもち、しかも引っ掛け部８ａ，８ａを拡げると弾性変形して取り外すことができるような材料で形成すればよい。
【００２３】
また、養生カバー８は、前記基礎型枠１の上端側でコンクリート天端４に打設されるセルフレベリング材６の一回当たりの打設長さに応じて設定された長手方向の長さをもつように形成されておればよい。勿論、長尺のものを準備しておき、適宜の長さになるようにカッタで切断しながら、基礎型枠１の上端部に取り付けるようにしてもよい。
【００２４】
そして、このような養生カバー８は、図１に示すように両端の引っ掛け部８ａ，８ａを外側に押し広げて、型枠１ａ，１ａの上端のつば部９に引っ掛けることにより、簡単に取り付けられるものである。勿論、取付状態において、引っ掛け部８ａ，８ａを外側に拡げて係合を解除すれば、簡単に取り外すことができるものである。
【００２５】
このような養生カバー８は、図２、図３に示すように、基礎天端６の施工時において、コンクリート天端４上に形成した複数のせき止め区画に、セルフレベリング材５を順次打設したときに、打設した部分に準備被せることにより、該基礎天端６の養生を行えるものである。
【００２６】
ここで、本発明の実施の形態での基礎天端６を含めたコンクリート製基礎２の施工方法を、図４ないし図１１を用いて以下に説明する。
まず、図４（ａ），（ｂ）に示すように、構築すべき基礎２の周囲を覆うように基礎型枠１を組み立てる。そして、基礎型枠１を構成する型枠１ａ，１ａ間に気泡が入らないようにバイブレータ（図示せず）を使用しながらコンクリート３を打設し、コンクリート３を締め固める。
【００２７】
コンクリート３の打設後に、スペーディング処理を行う。すなわち、バイブレータによってコンクリート３の表面に浮き出た大きな気泡をスペーディング治具１１によって微粒子を拡散する。このスペーディング治具１１は、基礎型枠１の型枠１ａ内面に沿って該型枠１ａの面に対して均一に押し当てるようにして移動させ、地盤上に露出する部分を攪拌させて使用する。
そして、このようにして打設したコンクリート３を養生させた後、打設されたコンクリート天端４のブリーディングが引いたら、図５（ａ），（ｂ）に示すように、コンクリート天端４に天端釘１２を複数埋め込む。
【００２８】
前記天端釘１２は、図６（ａ），（ｂ）に示すように、コンクリート３に埋め込まれる釘部１３と、該釘部１３の上端部に螺合される高さ調整部材１４とを備えている。そして、この高さ調整部材１４を回転させることにより、天端釘１２の上端の高さが任意に調整できるようになっている。ここでは、高さ調整部材１４は亜鉛メッキ製のビスである。
【００２９】
この天端釘１２の高さ調整部材１４がコンクリート天端４よりも突出し、かつ釘部１３のつば１３ａが見えなくなるように、コンクリート天端４に対して垂直に５０ｃｍ〜１ｍの間隔をおいて複数埋め込む。｛図５（ａ）、図６（ａ）参照｝
【００３０】
次に、コンクリート天端４に埋め込んだ天端釘１２の高さ調整部材１４を、水平器付き天端釘専用調整ドライバ１５を回転させながら、高さ調整部材１４がコンクリート天端４から５〜１０ｍｍ突出するようにレベル調整を行う。このレベル調整は、図５（ｂ）、図６（ｂ）に示すように調整ドライバ１５の水平器を確認しながら行う。
このようにして天端釘５を、基礎型枠１の全周にわたって設置する。
【００３１】
ここで、高さ調整部材１４をコンクリート天端４から５〜１０ｍｍ突出するように調整したのは、５ｍｍ未満とすると、打設するセルフレベリング材５の量が少ないので、セルフレベリング材５を打設しても基礎天端６を平らに均すことができず、一方１０ｍｍ以上とすると、打設するセルフレベリング材５の材料の性質上、精度が出しづらくなってしまうためである。
【００３２】
次に、前記コンクリート天端４にセルフレベリング材５を打設する。
なお、コンクリート３を打設してからセルフレベリング材５を打設するまでの時間は、夏季で１〜２時間、冬季で２〜３時間であればよい。
また、コンクリート天端４にセルフレベリング材５を打設する前に、コンクリート天端４のブリーディングが引いていない場合には、刷毛等で水分やゴミを吸い取っておくとよい。コンクリート３の打設後にコンクリート天端４が乾燥してしまっている場合には、このコンクリート３に水を十分に湿らせておく。
【００３３】
また、図７に示すように、硬化したコンクリート３と打設するセルフレベリング材５との付着力を高めるために、コンクリート天端４に刷毛１６等を使用して引っ掻き傷１７を形成し、さらにこのコンクリート天端４にプライマーを塗布してもよい。
【００３４】
一方、図８に示すように、混練用容器１９に水を入れ、電動ドミキサー２０で攪拌しながら徐々にセルフレベリング材５を入れ、ママコ等の固まりがなくなるまで十分に混練し、流すタイミングに合わせてセルフレベリング材５を準備しておく。
【００３５】
そして、図９（ａ），（ｂ）に示すようにコンクリート天端４に複数のせき止め用板１０を、所定間隔（たとえば１ｍの間隔）で、かつ隣り合うせき止め用板１０，１０で区画されたせき止め区画２２の少なくとも１以上の天端釘１２が位置するようにして設置する。この際に、せき止め用板１０の下端部とコンクリート天端４との間にスポンジ（図示せず）等を挟み込んで設置しておくとよい。
【００３６】
前記せき止め用板１０を設置したら、区画されたせき止め区画２２にセルフレベリング材５を打設し、さらにこのせき止め区画２２に隣接するせき止め区画２２にセルフレベリング材５を打設する。ここで、セルフレベリング材５は、それぞれのせき止め区画２２において、コンクリート天端４から天端釘１２の高さ調整部材１４の上端まで、予め設定した高さ、たとえば５〜１０ｍｍまで打設する。
【００３７】
このようにして、隣接する２箇所のせき止め区画２２，２２にセルフレベリング材５を打設したら、図１０（ａ），（ｂ）に示すように、該セルフレベリング材５が硬化する前に、一方のせき止め区画２２と他方のせき止め区画２２との間にあるせき止め用板１０を取り外し、このせき止め用板１０が取り外されたつなぎ部分２４をトンボ２５を使用して、両せき止め区画２２，２２に打設されたセルフレベリング材５によって平らに均す。
【００３８】
そして、これらのせき止め区画２２，２２の途中まで、基礎天端用の養生カバー８を被せ、その両端の掛け止め部８ａ，８ａを型枠１ａ，１ａの上端部に係止させる。ここで、養生カバー８は、せき止め区画２２の長さを考慮して設定した長さ（たとえば１ｍ）をもつを準備し、これを取り付けてもよいし、長尺に形成したものを適宜の長さに切断して使用してもよい。
【００３９】
上記のように隣接するせき止め区画２２のつなぎ部分２４を平らに均し、さらに当該せき止め区画２２，２２を養生カバー８で覆った後、図２、図３に示すように、このせき止め区画２２と隣接する次のせき止め区画２２にセルフレベリング材５を打設し、さらにそのつなぎ部分２４を平らに均し、前記養生カバー８を被せた後、これらの作業を繰り返すことによってコンクリート天端４の全周にわたってセルフレベリング材５を打設する。
【００４０】
コンクリート天端４にセルフレベリング材５を順次打設し、さらに養生カバー８を取り付けた後、図１１に示すように、コンクリート３およびセルフレベリング材５が打設された基礎型枠１の全体に、１枚または複数枚のビニールシート２８を被せ、セルフレベリング材５を養生させる。セルフレベリング材５の脱型までの養生期間は、コンクリート３の養生期間と同様とする。
【００４１】
セルフレベリング材５を養生した後、前記ビニールシート２８、養生カバー８、基礎型枠１を順次取り外す。
ここで、上記の脱型した基礎２の表面には、型枠１と型枠１との継ぎ目による段差が生じているので、これをスクレーパ等で削ったり、基礎２の表面にあらわれたピンホール等の補修、さらには適宜の仕上げ処理等を行うことは周知の通りである。
また、脱型後の基礎２の表面を汚さないように、該基礎２を覆うように、強化ポリエチレンシート等の基礎養生シート（図示せず）を被せておくことも従前通りである。
【００４２】
上記のようにして施工された基礎２によれば、基礎天端６を、せき止め用板１０によってせき止めしたせき止め区画２２毎にセルフレベリング材５を打設し、該せき止め用板１０によって生じるつなぎ部分２４を平らに均す処理を行いながら、基礎型枠１の型枠１ａ，１ａの上端部間に跨るようにして基礎天端養生カバー８を順次取り付けているから、基礎天端６を形成するセルフレベリング材５の養生を確実に行え、ひび割れや硬化不良等の発生を防ぎ、平坦な基礎天端６を得ることができる。
【００４３】
また、基礎天端養生カバー８は短いものを、基礎型枠１の所定箇所に順次被せて取り付けるだけでよいから、基礎天端６の養生を行うにあたっての養生カバー８の取付作業が簡単に行え、作業者一人でも行える等の利点がある。
さらに、セルフレベリング材５を打設した部位に順次養生カバー８を被せていくことから、セルフレベリング材５の養生の面からも効率のよい養生を行えるという利点もある。
【００４４】
なお、本発明は上述した実施の形態で説明した構造には限定されず、各部の形状、構造等を適宜変形、変更し得ることはいうまでもない。
たとえば上述した実施の形態では、基礎天端６の養生カバー８として、両端の掛け止め部８ａ，８ａを、湾曲部分を介して内向きつば状に形成した例を説明したが、本発明はこれに限らず、適宜の変形例が考えられる。要は、基礎型枠１を構成する型枠１ａ，１ａの上端部に適宜の状態で掛け止めされるような形状であればよい。
【００４５】
【発明の効果】
以上説明したように本発明に係る基礎天端養生カバーを用いた基礎天端の施工方法によれば、基礎型枠において打設したコンクリートの天端にセルフレベリング材を打設した際に、該セルフレベリング材を簡単にしかも確実に養生させることができる。
【００４６】
特に、本発明によれば、セルフレベリング材を打設した後に、基礎天端養生カバーを、基礎型枠の上端部に被せ、両端の掛け止め部により簡単に掛け止めして取り付けることが可能であり、取付作業がきわめて簡単に行える。しかも、本発明で用いる基礎天端養生カバーは、掛け止め部を外側に拡げるように弾性変形させるだけで基礎型枠の上端部に取り付けることができるものであり、しかもそれ自体が自己保持性をもつことから、多少の風等では外れない取付け状態を維持することができる。
【００４７】
また、本発明によれば、セルフレベリング材の打設を複数回にわけて行うとともに、その打設長さに応じて養生カバーを形成することにより、該カバーの長さが短くてよいものであり、たとえば一人の作業者でも簡単に取り付けることが可能で、基礎天端の施工が容易に行える。
【００４８】
さらに、本発明に係る基礎天端の施工方法によれば、基礎型枠内を複数箇所でせき止めすることにより形成したせき止め区画にセルフレベリング材を順次打設し、さらにせき止め区画を構成するせき止め用板を順次取り外し、その取り外したつなぎ部分をセルフレベリング材によって平らに均した後に、その部位に養生カバーを順次取り付けるように構成しているから、該カバーの長さが短くてよく、その取付けも一人の作業者が容易に行え、基礎天端の施工を、所要の状態できわめて簡単に行える。
【図面の簡単な説明】
【図１】  本発明に係る基礎天端養生カバーを用いた基礎天端の施工方法の一つの実施の形態を示す基礎施工時の要部断面図である。
【図２】  本発明を特徴づける基礎天端養生カバーの基礎型枠への取付順序を説明するための概略説明図である。
【図３】  同じく基礎天端養生カバーの取付状態を説明するための概略説明図である。
【図４】  本発明を適用した基礎施工方法を説明するためのものであって、（ａ）はスペーディング処理を示す斜視図、（ｂ）はスペーディング処理を示す側断面図である。
【図５】  同じく、（ａ）はコンクリート天端に天端釘を設置する作業を示す斜視図、（ｂ）は天端釘を調整する作業を示す斜視図である。
【図６】  同じく、（ａ）はコンクリートに天端釘が設置されている状態を示す側断面図、（ｂ）は天端釘が調整されている状態を示す側断面図である。
【図７】  同じく、コンクリート天端に引っ掻き傷を形成する作業を示す斜視図である。
【図８】  同じく、セルフレベリング材の準備作業を示す斜視図である。
【図９】  同じく、（ａ）はせき止め区間にセルフレベリング材を打設する作業を示す斜視図、（ｂ）はせき止め区画にセルフレベリング材が打設されている状態を示す側断面図である。
【図１０】  同じく、（ａ）はつなぎ部分を平らに均す作業を示す斜視図、（ｂ）はつなぎ部分が平らに均されている状態を示す側断面図である。
【図１１】  同じく、ビニールシートを被せる作業を示す斜視図である。
【符号の説明】
１…基礎型枠、１ａ…型枠、２…コンクリート製基礎、３…コンクリート、４…コンクリート天端、５…セルフレベリング材、６…基礎天端、８…基礎天端養生カバー、８ａ…引っ掛け部、９…係合部、１０…せき止め用板、１２…天端釘、１３…釘部、１４…高さ調整部材、２２…せき止め区画、２４…つなぎ部分、２８…ビニールシート。
【図１】
0003977050.tif 000002
【図２】
0003977050.tif 000003
【図３】
0003977050.tif 000004
【図４】
0003977050.tif 000005
【図５】
0003977050.tif 000006
【図６】
0003977050.tif 000007
【図７】
0003977050.tif 000008
【図８】
0003977050.tif 000009
【図９】
0003977050.tif 000010
【図１０】
0003977050.tif 000011
【図１１】
0003977050.tif 000012